(57)【特許請求の範囲】
【請求項１】
複数の感知器が接続され表示部を備える防災受信機が設けられ、
防災受信機は前記表示部の画面上の操作に基づいて所定機能を実行するように構成されている防災システムにおいて、
防災受信機は、設定可能な感度を多段階で記憶する記憶手段と、
スケジュールに基づいて感度の切り替えを行うスケジュール機能とを備え、
前記画面には、所定の操作によって感知器の感度を切り替えるとともに感度の切り替わる時刻を設定する感度切替画面が表示され、
感度切替画面における感度の切り替えは、多段階の感度のうちの１つの感度から別の感度を切り替えることで行われ、
感度切替画面はスケジュールを設定するように構成されるとともに、当該設定されているスケジュールを曜日と当該曜日の時間のグラフとに基づいて一覧表示可能であることを特徴とする防災システム。
【請求項２】
曜日ごとに感度の切り替えについて設定可能であることを特徴とする請求項１に記載の防災システム。
【請求項３】
感度の切り替えを時間に基づいて設定可能であることを特徴とする請求項１又は２に記載の防災システム。
【請求項４】
グラフは、所定時間単位で区分され、区分毎に感度の切り替えが可能であることを特徴とする請求項１〜３のいずれか一項に記載の防災システム。
【請求項５】
感度切替画面は、感度が切り替えられた対象について、切り替わる前とは異なるように表示することを特徴とする請求項１〜４のいずれか記載の防災システム。
【請求項６】
切り替え後に、切り替わる前とは異なる色で表示することを特徴とする請求項５に記載の防災システム。
【請求項７】
感度を切り替えるためには、パスワードの入力を必要とすることを特徴とする請求項１〜６のいずれか記載の防災システム。
【請求項８】
複数の感知器が所定のブロックごとに分けられ、ブロックごとに感度の切り替えが可能であることを特徴とする請求項１〜７のいずれか記載の防災システム。
【発明の詳細な説明】
【０００１】
【発明の属する技術分野】
本発明は、防災システムに関し、特に防災システムにおける検出感度の切り替えに関する。
【０００２】
【従来の技術】
従来の防災システムにおいて、火災感知器や中継器の感度を切り替え可能であるものが知られている。例えば、「通常感度」とより感度の高い「特別感度」の２段階で切り替え可能になっており、無人になるときの空調停止信号などの防災システム外からの信号をトリガーとして、「通常感度」から「特別感度」に切り替わるタイプが知られている。
【０００３】
【発明が解決しようとする課題】
しかしながら、上記の防災システムでは外部からの信号によって感度が切り替わるように構成されているので、防災システムを主体とした、例えば受信機で時間管理を行い感度を切り替える信号を出力するといった機能は有していなかった。そのため、トリガーとなる信号を出力する外部機器に左右されることが大きく、外部機器自身において詳細な設定機能がない場合には、曜日や日時といった詳細な切り替えが困難であった。さらに、感度が切り替わる時間等についての情報を受信機などの防災システム側で確認することはできなかった。
【０００４】
一方、感度の切り替えを防災システム側で行うものとして、例えば特開平６−２０１６７号公報に、防災監視盤に接続された表示装置の画面操作により感知器ごとに感度設定できるようになっているものが記載されている。しかし、この公報では、１つ１つの感知器について設定することから、感知器の数が多数である場合には大変な作業となってしまう。さらに、ここでは感度を変えることができるというだけで、時間単位で感度を切り替えるといった機能はない。
【０００５】
複数の感知器をまとめて感度設定するものとしては、特開平５−２８２５７７号公報に、グループごとに人間の有無などの環境に応じて感度を切り替えることが記載されている。さらに、特開昭５６−１３２６９０号公報には、タイマー信号で全て、あるいはフロア別などの火災検出系統ごとに感知器の感度を切り替えることが記載されている。
これらの発明では、操作部等における具体的な設定方法に関する記載はなく、従ってどのように設定するのか、あるいは設定内容をどのように確認するのかといった操作性については不明であり、実用上適用しにくい。
【０００６】
本発明の課題は、防災システムにおいて、主体的に、きめ細かく、また簡単な操作で感度切り替えの設定や確認を可能とすることにある。
【０００７】
【課題を解決するための手段】
以上の課題を解決するため、請求項１に記載の発明は、例えば図１〜図９に示すように、
複数の感知器（火災感知器３ａ、３ａ…）が接続され表示部（３０）を備える防災受信機（１０）が設けられ、
防災受信機は前記表示部の画面（画面３１）上の操作に基づいて所定機能を実行するように構成されている防災システム（１）において、
防災受信機は、設定可能な感度を多段階で記憶する記憶手段（ＲＯＭ１３）と、
スケジュールに基づいて感度の切り替えを行うスケジュール機能とを備え、
前記画面には、所定の操作によって感知器の感度を切り替えるとともに感度の切り替わる時刻を設定する感度切替画面（感度切替スケジュール画面、感度切替設定画面）が表示され、
感度切替画面における感度の切り替えは、多段階の感度のうちの１つの感度から別の感度を切り替えることで行われ、
感度切替画面はスケジュールを設定するように構成されるとともに、当該設定されているスケジュールを曜日と当該曜日の時間のグラフとに基づいて一覧表示可能であることを特徴とする。
【０００８】
請求項１に記載の発明によれば、防災システムを構成する防災受信機の表示部に表示される感度切替画面に対する所定操作によって感知器の感度を切り替えることができる。従って、外部入力信号によって切り替わるのではないので、外部機器の機能などに左右されることなく、防災システム側で主体的に感度の切り替えができる。また、画面上の操作により切り替えるので、設定作業が簡単である。
ここで、感度切替画面は、１種類の画面表示だけでなく、複数頁から構成されていたり、あるいは多層構造を有し、画面を切り替えながら感度の切り替えを設定するように構成されていてもよい。
また、感度切替のための画面に対する所定の操作とは、例えば、画面にタッチしたり、マウスのようなポインティングデバイスで指示したり、キーボードを利用して入力するといったことが挙げられる。
さらに、「感知器の感度を切り替える」とは、防災受信機がアナログ感知器からの返送データにより火災判断を行う際の内部の感度情報を切り替えたり、また感知器自身や中継器自身が火災を判断するものに対しては判断の閾値を切り替えるといったことが挙げられる。
【０００９】
請求項１に記載の発明によれば、感度は、記憶手段に記憶された多段階の感度のうちの１つの感度から別の感度に切り替えることで行われるので、具体的な数字を個別に入力するといった設定方法よりも、簡単に切り替えることができる。
【００１０】
請求項１によれば、感度が切り替わる時刻を設定することから、例えば毎日所定の時刻になれば感度が切り替わるといった設定が可能となり実用的である。
【００１１】
請求項１に記載の発明によれば、感度切替画面において設定されたスケジュールに基づいて感度を切り替えることができるので、一度に複数日分の設定が可能になり便利である。
ここで、スケジュールとは、例えば、２週間単位や月単位であってもよい。あるいは、後述の請求項２のように曜日単位でもよい。
【００１２】
また、請求項１に記載の発明によれば、感度切替画面にスケジュールが一覧表示されるので、スケジュールの設定状況の確認が容易となる。
さらに請求項１に記載の発明によれば、グラフによって時間が表示されるので視覚的に分かりやすい。
【００１３】
また、請求項２に記載の発明は、請求項１に記載の防災システムにおいて、
曜日ごとに感度の切り替えについて設定可能であることを特徴とする。
請求項２に記載の発明によれば、スケジュールは曜日に基づいて表示されるので、感度切り替えの設定が曜日毎に可能となる。曜日単位であれば、日付には無関係に、年間を通じて曜日ごとの状況に基づいた感度切り替えの設定が可能となり、利便性が高い。例えば、月曜日〜金曜日の平日が営業日で土日が休日の会社がテナントとして入居しているビルの防災システムであれば、平日と土日で異なる設定とすればよい。
【００１４】
請求項３に記載の発明は、請求項１又は２に記載の防災システムにおいて、
感度の切り替えを時間に基づいて設定可能であることを特徴とする。
請求項３に記載の発明によれば、スケジュールは時間に基づいて表示されるので、時間ごとの状況に基づいて、きめ細かい設定が可能となる。例えば、夜は人がいなくなるビルであれば、夜は昼間に比べて感度を上げるといったことである。
特に、請求項２に従属する場合には、曜日ごとに、時間に基づいて感度の切り替えについて設定できるので、より一層詳細な設定が可能となる。
ここで、「時間に基づいて」とは、所定時間間隔ごとに設定するように構成してもよいし、任意の時間で感度が切り替わるように構成してもよい。
【００１６】
請求項４に記載の発明は、請求項１〜３のいずれか記載の防災システムにおいて、
グラフは、所定時間単位で区分され、区分毎に感度の切り替えが可能であることを特徴とする。
請求項４に記載の発明によれば、所定時間単位で区分された区分ごとに感度の切り替えが可能であるので、より一層切り替え操作が楽になる。
ここで、区分の１単位となる時間幅は全く限定されず、適宜設定すればよい。
【００１７】
請求項５に記載の発明は、請求項１〜４のいずれか記載の防災システムにおいて、
感度切替画面は、感度が切り替えられた対象について、切り替わる前とは異なるように表示することを特徴とする。
請求項５に記載の発明によれば、感度が切り替えられた対象について、切り替わる前とは異なるように表示するので、一目で感度が切り替えられたことが分かる。
ここで、「感度が切り替えられた対象」とは、例えば請求項４において時間がグラフで表示されている場合、感度が切り替わった時間帯の表示状態を変えたり、あるいは請求項２のように曜日で設定する場合、感度が切り替わった曜日の表示状態を変えたり、さらには感知器が番号や図柄で表示され、１つの感知器の感度を切り替えた場合にその感知器の表示状態を変えるといったことである。
請求項５に記載の防災システムにおいて、具体的には、請求項６に記載の発明のように、切り替わる前とは異なる色で表示することが挙げられる。
【００１８】
請求項７に記載の発明は、請求項１〜６のいずれか記載の防災システムにおいて、
感度を切り替えるためには、パスワードの入力を必要とすることを特徴とする。
請求項７に記載の発明によれば、感度を切り替えるためにはパスワードの入力が必要であるため、安易に切り替えられず、管理者以外の第３者による感度の切り替えを防ぐことができる。
【００１９】
請求項８に記載の発明は、請求項１〜７のいずれか記載の防災システムにおいて、
複数の感知器が所定のブロックごとに分けられ、ブロックごとに感度の切り替えが可能であることを特徴とする。
請求項８に記載の発明によれば、ブロック単位で感度の切り替えが可能であるので、１ブロックに属する複数の感知器をまとめて感度を切り替えることができ、より一層設定作業が容易になる。
ここで、「ブロック」の分け方は全く限定されないが、例えば、１つのフロアや１つの部屋に設置されている感知器を１ブロックとしてもよいし、煙感知器などの１つの種類で１ブロックとしてもよい。
【００２０】
【発明の実施の形態】
以下、この発明の実施の形態について、図面を参照しながら説明する。
図１（ａ）は、本発明の一例としての防災受信機１０を含む防災システム１の概略構成を示すものである。防災システム１は、防災受信機１０、中継器２ａ、２ｂなどからなるＲ型システムのものである。中継器２ａ、２ｂには、火災感知器３ａ、ガス漏れ検知器３ｂ、防火戸や防火シャッタなどの防排煙設備３ｃ、地区ベル３ｄなどからなる多数の端末機器が接続されている。中継器２ａ、２ｂは、それぞれ、例えば１フロアごとに設けられている。
各火災感知器３ａは、例えば本実施の形態では、煙感知器であり、それぞれに固有のアドレスが付与され、受信機１０等はこの個別アドレスによって各感知器を識別するようになっている。また、煙濃度の値がいくらになった場合に発報信号を出力するかという感度については、後述するように表示部３０において所定のブロックごとに設定できるようになっている。この感度設定については後述する。
【００２１】
なお、図１（ａ）には、便宜上２つの中継器のみ図示しているが、３つ以上の中継器が接続されていてもよい。また、符号４は、防災受信機１０とは離れた場所に設置される火災表示装置であって、火災発生時などに所定の情報を表示する。なお、火災表示装置４は必ずしも設置されなくてもよい。
防災受信機１０は、防災システム１を統括制御し、具体的には、火災やガス漏れなどのイベントを監視し、イベントが発生した時には、表示部（図１（ｂ））３０に所定の情報を表示したり、表示部３０における操作などを受けて防排煙設備３ｃや地区ベル３ｄなどを制御駆動するようになっている。
【００２２】
図１（ｂ）には、防災受信機１０の制御ブロック図を示した。防災受信機１０は、ＣＰＵ（Central Processing Unit）１１を有し、該ＣＰＵ１１に対してＲＡＭ（random access memory）１２、ＲＯＭ（read only memory）１３が接続されている。
ＲＯＭ１３は、防災受信機１０の各種処理に用いられる制御プログラムや制御データを記憶している。防災システム１では複数の感知器を所定のブロックに分けている。また、防災受信機１０は感知器のアドレスごとに感度設定可能になっており、ＲＯＭ１３は感知器アドレスごとの感度データを記憶している。図２に、感度テーブルの一例としてテーブル５を示した。
【００２３】
例えば、第１棟の１階に設置された複数の火災感知器のうちの２つの火災感知器「００１」、「００２」それぞれについて、アドレス「０１」、「０２」が付与されており、これらが１つのブロック「０１」に属する。
また、第１棟の２階に設置された２つの火災感知器「００３」、「００４」それぞれについて、アドレス「０３」、「０４」が付与されており、これらが１つのブロック「０２」に属する。
そして、アドレス０１、０２、０３、０４それぞれについて、通常感度として「１０」、特別感度として「７」がメモリされている。なお、「１０」は空気中の煙濃度が１０％／ｍであれば発報信号を出力し、「７」は７％／ｍであれば発報信号を出力するという内容で、特別感度の方が感度が高く設定されている。この感度の設定・変更については、後述の表示部３０において行われる。
なお、１中継器に接続された全ての感知器が１つのブロックに属するようにブロック分けしてもよいし、１中継器に接続された感知器の範囲とは無関係にブロック分けされてもよい。
【００２４】
ＲＡＭ１２は検出データや情報などを記憶するものである。
ＣＰＵ１１は、ＲＯＭ１３内の制御プログラムや制御データ、感度データなどにしたがって、ＲＡＭ１２を作業領域として用いながら、防災受信機１０における各種処理を制御するようになっている。
【００２５】
ＣＰＵ１１には、インターフェース１４ａを介して前述の中継器２ａ、２ｂが接続され、インターフェース１４ｂを介して火災表示装置４が接続されている。また、インターフェース１４ｃ、１４ｄ、１４ｅ、１４ｆを介して、表示部３０、操作部１５、表示灯１６、印字部１７が接続されている。表示部３０は、各種機能を表示したり、表示した機能を選択するためのもので、詳細については後述する。操作部１５は、連動停止や火災復旧などの各種操作を行うためのスイッチやボタンからなる。表示灯１６は、火災発生等を報知するものでＬＥＤ（発光ダイオード）などからなる。印字部１７は、印字出力を行うものである。
【００２６】
表示部３０は、タッチパネル方式の液晶ディスプレイ（ＬＣＤ）から構成され、各種機能及び情報を表示するとともに、所定機能をタッチすることによってそれを選択できるようになっているものである。
図３〜図９に表示部３０に表示される画面３１を示した。画面３１は、主に機能や情報を表示する主画面３１ａ、主画面３１ａの右側に設けられ作業者に対する注意や指示などを表示するサブ画面３１ｂ、複数のタブボタンからなるタブ表示部３１ｃ、現在表示されている画面のタイトルを示すとともに年月日を示すタイトル部３１ｄからなる。
【００２７】
図３〜図９において、画面３１内において表示される各機能等は、枠線で囲まれた状態で表示され、タッチすることで選択可能な項目については、枠に影を施し立体的に表現される。そして１つの機能をタッチして選択することで、その機能に連なる下位の項目にジャンプするようになっている。さらに、主画面３１ａ、サブ画面３１ｂには、各枠内の機能の説明も必要に応じて付され、作業者は画面を見ているだけで迷わず操作できるようになっている。
ただし、影が付された項目であっても、選択不可能な場合には、枠内の文字色が通常の状態より印象の弱い表示（色を薄くしたり、あるいは白抜きなど）方法で表示する。
なお、図３などにおいて、機能名を記載せず便宜的に枠のみ示しているものもある。また、以下の説明では、図示している機能等についても本発明において特に必要でないものについての説明は省略あるいは簡略化している。
【００２８】
防災システム１に電源が投入されてシステム全体が立ち上がり、その後表示部３０の画面３１がタッチされると、まず図３（ａ）が表示されるようになる。
図３（ａ）、（ｂ）及び図４は、「画面一覧」の表示画面である。この画面は３ページで構成され、主画面３１ａの右側上下に設けられている頁切替スイッチ３２、３２を操作することで、１ページ目の図３（ａ）、２ページ目の図３（ｂ）、３ページ目の図４を順に切り替えることができる。
【００２９】
「画面一覧」画面では、主画面３１ａの最左側に、階層構造の最上層に位置し互いに独立している機能が示されている。これらのうち、「保守設定」を除く、「１警報」、「２異常／故障」、「３防排煙制御」、「４連動停止」、「５訓練」と、さらに「画面一覧」の各項目については、タブ表示部３１ｃのタブボタンＴ１、Ｔ２、Ｔ３、Ｔ４、Ｔ５、Ｔ６で選択することができる。選択されているタブボタンについては、図３のタブボタンＴ６のように他とは異なる背景色で表示している。
タブボタンＴ１を操作すると、「警報」画面に切り替わり、この画面では、火災やガス漏れなどの各種警報を出力中の端末機器が表示される。タブボタンＴ２を操作すると、「異常／故障」画面に切り替わり、この画面では、異常又は故障中の端末機器が表示される。タブボタンＴ３を操作すると、「防排煙制御」画面に切り替わり、この画面では防排煙端末を遠隔制御するためのメニュー画面が表示される。タブボタンＴ４を操作すると、「連動停止」画面に切り替わり、各種の連動を停止させるためのメニュー画面が表示される。タブボタンＴ５を操作すると、「訓練」画面に切り替わり、この画面では受信機操作訓練や火災シミュレーションのメニュー画面が表示される。これら「警報」画面、「異常／故障」画面、「防排煙制御」画面、「連動停止」画面、「訓練」画面については、本発明の要旨ではないため説明は省略する。
【００３０】
「画面一覧」画面のサブ画面３１ｂには、作業者へのメッセージが表示されているとともに、印字停止スイッチＡ１、画面消去スイッチＡ８が設けられている。
【００３１】
表示部３０では、テーブル５のようにブロックごとに設定されている通常感度と特別感度の切り替えについて、曜日別に１時間単位で設定できるようになっている。以下、この切り替えの設定作業について説明する。
まず、図４に示す「画面一覧」画面の３頁目の「ブロック感度設定」をタッチして操作すると、図５のようにサブ画面３１ｂの表示内容が変わり、パスワード入力画面が表示される。ここで０〜９の数字キーＢ４を操作して所定のパスワードを入力し、正しく入力したところで、決定スイッチＢ１を操作する。このようにパスワード入力を経ることで、不用意にあるいは故意に感度変更されることを防ぐことができる。なお、クリアスイッチＢ２を操作すれば、入力したパスワードがクリアされ、数字キーＢ４によりパスワードを入力し直すことができる。ウィンドウ消去スイッチＢ３を操作すれば、画面が消える。再び表示させたい場合は画面にタッチすればよい。
【００３２】
図５でパスワード入力後、決定スイッチＢ１を操作すると、図６（ａ）の感度ブロック選択画面が表示される。主画面３１ａには防災システム１０内のブロック名が表示され、各々のブロック名の表示が選択ボタンになっている。またサブ画面３１ｂには、作業者への指示が表示される。
ここで、サブ画面３１ｂの指示に従い、感度を変更したいブロック、例えば「ブロック０１」ボタンＣ１を操作すると、図６（ｂ）に示すように「ブロック０１」ボタンＣ１の表示が視覚的に押されて窪んでいるような表示に切り替わるとともに、スケジュール表示スイッチＢ５が操作可能な状態に切り替わる。次いで、このスケジュール表示スイッチＢ５を操作する。
なお、サブ画面３１ｂの印字停止スイッチＢ６を操作すると前記印字部１７における印字を停止し、戻りスイッチＢ７を操作すると図５の画面に戻るようになっている。
【００３３】
スケジュール表示スイッチＢ５を操作すると、図７（ａ）の感度切替スケジュール画面が表示される。主画面３１ａの左側には曜日ボタンＤ１〜Ｄ７が設けられ、それぞれのボタンの横には、０時〜２４時までのタイムスケジュールＳ１〜Ｓ７が表示される。タイムスケジュールＳ１〜Ｓ７は、１時間刻みの横棒グラフとして表示される。また、サブ画面３１ｂには、作業者への指示やメッセージが表示される。このメッセージにも表示されているように、通常感度は白色、特別感度は赤色で表示されるようになっている。図７（ａ）の表示は、初期設定の状態であり、月曜日〜日曜日まで全てのタイムスケジュールＳ１〜Ｓ７が白色で表示されている。つまり、ブロック０１では、毎日２４時間、通常感度で火災を検出しているということになる。
なお、図７（ａ）において、スケジュール設定スイッチＢ５は操作できないようになっている。また、画面コピーボタンＢ８を操作すると、この画面に表示されている内容が印字部１７により印刷される。
【００３４】
感度設定を変える場合、設定を行う曜日の曜日ボタンを操作する。ここでは、例えば日曜日の曜日ボタンＤ７を操作する。これにより、図７（ｂ）に示すように、曜日ボタンＤ７が視覚的に押されて窪んでいるように表示されるとともに、サブ画面３１ｂのスケジュール設定スイッチＢ５が操作可能な表示に切り替わる。
スケジュール設定スイッチＢ５を操作すると、図８に示す感度切替設定画面が表示される。この画面では、主画面３１ａにおいて、図７（ｂ）で選択した曜日（ここでは日曜日）の設定用タイムスケジュールＳ７’が表示される。設定用タイムスケジュールＳ７’は、０時〜６時、６時〜１２時、１２時〜１８時、１８時〜２４時の４つの時間帯を示す横棒グラフで表示される。
各横棒グラフは、１時間刻みで表示され、またこの１時間ごとに１つの切替ボタンになっている。例えば一番上のグラフの「０５：００」及び「０６：００」で区切られたエリアＰ１をタッチすることで、画面上において白色で表示される通常感度と赤色の特別感度を交互に切り替えることができるようになっている。
【００３５】
ここで、例えばタイムスケジュールＳ７’における０時〜８時まで、および２２時〜２４時の範囲をタッチしていくと、図８（ｂ）に示すようにその範囲が赤色（図８（ｂ）では斜線で示す）に変化する。赤色に切り替わった後、決定スイッチＢ９を操作すると設定が確定する。
この後、戻りスイッチＢ７によって感度切替スケジュール画面に戻ると、図９に示すように、図８（ｂ）の設定通りの時間帯が特別感度を示す赤色（図９では斜線）で表示される。この設定により、今後毎日曜日は０時〜８時、２２時〜２４時は特別感度で火災を検出することになる。今後設定を確認するためには、この画面を開けばよい。
上記で述べたように、本発明の感度切替画面は、感度切替スケジュール画面及び感度切替設定画面から構成される。
図６で示したブロック０２〜１６についても、上記同様に、感度切り替えのスケジュールを曜日ごとに設定することができる。
【００３６】
上記のように設定すると、防災受信機１０は、ＣＰＵ１１の制御の下で、設定されたスケジュール通りに、ブロック０１に属する感知器について、感度を切り替えるよう指示する信号を出力する。ここで、「感知器の感度を切り替える」とは、防災受信機１０自身がアナログ感知器からの返送データにより火災判断を行う際の内部の感度情報を切り替えたり、また感知器自身や中継器自身が火災を判断するものに対しては判断の閾値を切り替えるといったことである。
なお図４の「感度変更設定」の項目を選択すると、各感知器のアドレスごとに通常感度及び特別感度を変更できるようになっている。
【００３７】
以上の防災システム１によれば、防災受信機１０の表示部３０の画面において感度を切り替えることができる。従って、外部機器の機能の程度などに影響を受けることはなく、防災システム１（防災受信機１０）を主体として感度の切り替えができる。
また、画面３１上の操作により切り替えるので設定作業が簡単である。具体的には、感度切替スケジュール画面は曜日ごとにスケジュール表示され、曜日ボタンＤ１〜Ｄ７を操作し、１つの曜日についての感度切替設定画面が表示される。そして、感度切替設定画面では、２４時間が横棒グラフで表示され、時間単位で切替設定できる。したがって、曜日ごとに、かつ、時間単位で感度を切り替えられ、きめ細かく感度切替の設定ができる。
【００３８】
加えて、ＲＯＭ１３は、テーブル５の感度テーブルのように設定可能な感度を２段階（通常感度・特別感度）で記憶している。そして前記グラフは、１時間刻みで１つの切替ボタンになっており、感度データに基づいて、１つの切替ボタンをタッチするだけで、通常感度と特別感度を交互に容易に切り替えられる。したがって、通常感度／特別感度の切り替え操作が非常に簡単で、何回でも繰り返すことができ、設定の変更も楽である。
また、感度切替スケジュール画面及び感度切替設定画面はどちらも、時間について１時間ごとの横棒グラフとして表示されるので、切替作業においても、確認作業においても、視覚的に分かりやすい。感度切替スケジュール画面では、１週間単位の感度切り替えのスケジュールが一目でわかる。更に、通常感度は白色、特別感度は赤色で表示し、ある曜日の任意の時間について、どちらの感度に設定されているか明らかであるので、容易に確認できる。
また、感知器を所定のブロックで分け、ブロックごとにまとめて設定できるので、その点においても切替設定作業を簡略化できる。
以上のように、防災システム１では、防災受信機１０において、感知器の感度の切替設定を従来と比較して著しく簡単でしかも視覚的に分かりやすく切り替えることができ、かつ、確認も非常に容易で分かりやすい。
加えて、感度を切り替えるためには、図５に示すように、パスワードの入力が必要であるため、安易に切り替えられず、管理者以外の第３者による感度の切り替えを防ぐことができる。
【００３９】
なお、本発明は上記実施の形態に限定されず、適宜変更可能である。
タイムスケジュールの表示及び設定方法は図７〜図９で示す１週間を曜日で表示することに限定されない。例えば、日付を明示して１月単位でカレンダーのように表示・設定してもよいし、あるいは数週間、数ヶ月といった単位で表示・設定してもよい。
また、棒グラフ型ではなく、円形や円弧状に表示してもよい。要は、連続する時間の中の区切りが視覚的に認識できるようにデザインされていればよい。
感度切替は、ブロック単位に限定されず、個々の感知器それぞれで切替可能になっていてもよく、また、全ての感知器の感度を一括して切り替えるようになっていてもよい。その場合、例えば図６（ａ）の感度ブロック選択画面において、複数のブロック表示と並んで「全端末」といった表示を加えればよい。
【００４０】
「通常感度」と「特別感度」の具体的な値は適宜変更可能であり、通常感度より特別感度の感度が低くてもよい。例えば、ある部屋が時間制限で禁煙から喫煙可能になった場合にその喫煙時間の間だけ特別に感度を下げるといったように構成してもよい。
加えて、感度切り替えは２段階に限らず３段階以上であってもよい。
さらに、火災感知器は煙感知器に限らず、熱感知器、熱・煙複合式感知器、炎感知器などであってもよい。
図２で示したブロック感度に関するテーブルは、ＲＯＭに限らずＲＡＭに記憶されてもよいし、その他防災受信機に内蔵されるＥＥＰＲＯＭなどのメモリでもよいし、あるいはディスクなどの外部記憶媒体に記憶されていてもよい。
表示部はタッチパネル方式に限らず、マウスやキーボードなどの入力デバイスにより操作するようになっていてもよい。
【００４１】
【発明の効果】
請求項１に記載の発明によれば、防災システムを構成する防災受信機の表示部に表示される感度切替画面に対する所定操作によって感知器の感度を切り替えることができる。従って、外部入力信号によって切り替わるのではないので、外部機器の機能などに左右されることなく、防災システム側で主体的に感度の切り替えができる。また、画面上の操作により切り替えるので、設定作業が簡単である。
【００４２】
また、請求項１に記載の発明によれば、感度は、記憶手段に記憶された多段階の感度のうちの１つの感度から別の感度に切り替えることで行われるので、具体的な数字を個別に入力するといった設定方法よりも、簡単に切り替えることができる。
請求項１に記載の発明によれば、感度が切り替わる時刻を設定することから、例えば毎日所定の時刻になれば感度が切り替わるといった設定が可能となり実用的である。
【００４３】
請求項１に記載の発明によれば、スケジュールに基づいて感度を切り替えることができるので、一度に複数日分の設定が可能になり便利である。
請求項１に記載の発明によれば、感度切替画面にスケジュールが一覧表示されるので、スケジュールの設定状況の確認が容易となる。
請求項１に記載の発明によれば、グラフによって時間が表示されるので視覚的に分かりやすい。
請求項２に記載の発明によれば、スケジュールは曜日に基づいて表示されるので、感度切り替えの設定が曜日毎に可能となる。曜日単位であれば、日付には無関係に、年間を通じて曜日ごとの状況に基づいた感度切り替えの設定が可能となり、利便性が高い。
【００４４】
請求項３に記載の発明によれば、スケジュールは時間に基づいて表示されるので、時間ごとの状況に基づいて、きめ細かい設定が可能となる。例えば、夜は人がいなくなるビルであれば、夜は昼間に比べて感度を上げるといったことである。
特に、請求項２に従属する場合には、曜日ごとに、時間に基づいて感度の切り替えについて設定できるので、より一層詳細な設定が可能となる。
【００４５】
請求項４に記載の発明によれば、所定時間単位で区分された区分ごとに感度の切り替えが可能であるので、より一層切り替え操作が楽になる。
【００４６】
請求項５及び請求項６に記載の発明によれば、感度が切り替えられた対象について、切り替わる前とは異なるように表示するので、一目で感度が切り替えられたことが分かる。
【００４７】
請求項７に記載の発明によれば、感度を切り替えるためにはパスワードの入力が必要であるため、安易に切り替えられず、管理者以外の第３者による感度の切り替えを防ぐことができる。
請求項８に記載の発明によれば、ブロック単位で感度の切り替えが可能であるので、１ブロックに属する複数の感知器をまとめて感度を切り替えることができ、より一層設定作業が容易になる。
【図面の簡単な説明】
【図１】（ａ）は本発明の一例としての防災受信機を含む防災システムの構成を示すブロック図であり、（ｂ）は防災受信機の構成を示すブロック図である。
【図２】ブロック感度設定の基になる感度データのテーブルを示す図である。
【図３】図１の防災受信機の表示部に表示される「画面一覧」画面を示すもので、（ａ）は１頁目、（ｂ）は２頁目である。
【図４】図３に引き続いて、「画面一覧」画面の３頁目を示すものである。
【図５】図４の画面で「ブロック感度設定」を選択し、サブ画面にパスワード入力画面が表示されている様子を示す図である。
【図６】感度ブロック選択画面を示す図であり、（ａ）はブロックの選択前、（ｂ）はブロック選択後を示す。
【図７】感度切替スケジュール画面を示す図であり、（ａ）は曜日の選択前、（ｂ）は日曜日の選択後を示す。
【図８】感度切替設定画面を示す図であり、（ａ）は初期設定状態、（ｂ）は一部の時間帯を特別感度に切り替えた様子を示す。
【図９】図８（ｂ）の画面から、感度切替スケジュール画面に戻った場合の表示である。
【符号の説明】
１      防災システム
１０    防災受信機
１１    ＣＰＵ
１２    ＲＡＭ
１３    ＲＯＭ
１５    操作部
１６    表示灯
１７    印字部
３０    表示部
３１、４０      画面
３１ａ    主画面
３１ｂ    サブ画面
３１ｃ    タブ表示部
Ｄ１、Ｄ２、Ｄ３、Ｄ４、Ｄ５、Ｄ６、Ｄ７    曜日ボタン
Ｓ１、Ｓ２、Ｓ３、Ｓ４、Ｓ５、Ｓ６、Ｓ７    タイムスケジュール
Ｓ７’    設定用タイムスケジュール
【図１】
0004185257.tif 000002
【図２】
0004185257.tif 000003
【図３】
0004185257.tif 000004
【図４】
0004185257.tif 000005
【図５】
0004185257.tif 000006
【図６】
0004185257.tif 000007
【図７】
0004185257.tif 000008
【図８】
0004185257.tif 000009
【図９】
0004185257.tif 000010